(57)【特許請求の範囲】
【請求項１】
商品の価格および消費税率を含む印字データを所定のレイアウトで印字可能とする該レイアウトを設定したレイアウト設定データを保存してあるフォーマットファイルと、
このレイアウトにしたがって前記値札に前記印字データを印字するための印字部と、
前記印字データおよび前記レイアウト設定データを入力するための入力部と、
この入力部によるデータ入力を表示するための表示部と、
これら印字部、入力部および表示部を制御するための制御部と、を有する値札プリンターにおける消費税率変更装置であって、
前記制御部は、前記消費税率を少なくとも二種類の数値に設定可能であるとともに、この設定したそれぞれの数値を第１の消費税率および第２の消費税率として保存可能な税率設定ファイルを有し、
前記フォーマットファイルは、この税率設定ファイルに設定されている前記第１の消費税率および前記第２の消費税率のうち選択されたいずれか一方を保存可能とし、かつ、
前記表示部は、前記第１の消費税率および前記第２の消費税率のいずれかを選択するための税率選択画面を表示可能であることを特徴とする値札プリンターにおける消費税率変更装置。
【請求項２】
前記表示部は、
前記消費税率を前記第１の消費税率および前記第２の消費税率として、少なくとも二種類の数値に設定するための税率設定画面を表示可能であることを特徴とする請求項１記載の値札プリンターにおける消費税率変更装置。
【請求項３】
商品の価格および消費税率を含む印字データを所定のレイアウトで印字可能とする該レイアウトを設定したレイアウト設定データを保存してあるフォーマットファイルと、
このレイアウトにしたがって前記値札に前記印字データを印字するための印字部と、
前記印字データおよび前記レイアウト設定データを入力するための入力部と、
この入力部によるデータ入力を表示するための表示部と、
これら印字部、入力部および表示部を制御するための制御部と、を有する値札プリンターにおける消費税率変更方法であって、
前記制御部において、前記消費税率を少なくとも二種類の数値に設定するとともに、この設定したそれぞれの数値を第１の消費税率および第２の消費税率として税率設定ファイルに保存し、
前記フォーマットファイルにおいて、この税率設定ファイルに保存されている前記第１の消費税率および前記第２の消費税率のうち選択されたいずれか一方を保存可能とし、かつ、
前記表示部において、前記第１の消費税率および前記第２の消費税率のいずれかを選択するための税率選択画面を表示可能とすることを特徴とする値札プリンターにおける消費税率変更方法。
【発明の詳細な説明】
【技術分野】
【０００１】
本発明は値札プリンターにおける消費税率変更装置および消費税率変更方法にかかるもので、とくに消費税率が変更される際に適確に対応可能な値札プリンターにおける消費税率変更装置および消費税率変更方法に関するものである。
【背景技術】
【０００２】
従来の値札１に印字する内容について図５および図６にもとづき概説する。
図５は、値札１に印字した一例を示す平面図であって、図示のように、値札１には、印字データとして、商品の価格や商品コードさらにはバーコードなどとともに、その消費税についても何らかの形式で印字を行うことが必要である。
値札１の印字データは、所定の印字レイアウトにもとづいて印字されるもので、それぞれの印字データの値札１における印字位置や大きさなど（レイアウト）については、あらかじめこれを設定し、それぞれのフォーマットファイル２に保存（登録）してある。
【０００３】
図６は、それぞれの値札１についてのフォーマットファイル２の説明図であって、フォーマットファイル２には、それぞれの値札１について、上記印字データを所定のレイアウトで印字可能とする上記レイアウトのためのレイアウト設定データとともに、消費税の税率については、たとえば５％などとあらかじめ設定し、たとえば消費税込みの価格の計算として価格を１．０５倍するような演算を行うように規定してある。なお、この消費税率は、印字用の演算にこれを用いれば足りるものであって、消費税率自体を必ずしも実際に印字する必要はない。
【０００４】
しかしながら、消費税率の変更にともなって、このフォーマットファイル２すべてにおけるその税率を変更する手続きが必要となるが、設定されているフォーマットファイル２の数が多いために、それぞれのフォーマットファイル２中における税率をすべて書き換える作業が膨大となるという問題がある。
とくに、卸業者にとっては商品の小売業者への納品期日の関係で、および小売業者にとっては商品の販売日ないし期間の関係で、消費税率の変更日の前後では、たとえば変更日直前まで販売する可能性がある商品について従来の５％のまま印字する必要がある値札１と、変更日以降に販売予定の商品について新しい消費税（たとえば７％）にもとづいて印字する必要がある値札１と、が混在する可能性があって、どのフォーマットファイル２にどの税率を変更して設定登録するかを注意しながらの当該消費税率の切替え作業が大きな負荷となるという問題がある。
【０００５】
【特許文献１】特開２００４−２０６５２２号公報
【発明の開示】
【発明が解決しようとする課題】
【０００６】
本発明は以上のような諸問題にかんがみなされたもので、消費税率が変更された場合にも、その切替え作業の負荷を軽減可能とした値札プリンターにおける消費税率変更装置および消費税率変更方法を提供することを課題とする。
【０００７】
また本発明は、複数の消費税率が混在する場合であっても、比較的単純な作業でフォーマットファイルにおける消費税率の変更ないし設定作業を行うことができるようにした値札プリンターにおける消費税率変更装置および消費税率変更方法を提供することを課題とする。
【０００８】
また本発明は、消費税率の数値についてそれぞれのフォーマットファイルに設定するのではなく、中央の制御部において一元管理可能とした値札プリンターにおける消費税率変更装置および消費税率変更方法を提供することを課題とする。
【課題を解決するための手段】
【０００９】
すなわち本発明は、消費税率の具体的数値をそれぞれの値札のフォーマットファイル内に登録（保存）しておくのではなく、中央の制御部ないしパソコン部分に一元的に保存して管理すること、および、それぞれのフォーマットファイルにおいて、少なくとも二種類ある消費税率のいずれかを第１の消費税率あるいは第２の消費税率として選択するようにすることに着目したもので、第一の発明は、商品の価格および消費税率を含む印字データを所定のレイアウトで印字可能とする該レイアウトを設定したレイアウト設定データを保存してあるフォーマットファイルと、このレイアウトにしたがって上記値札に上記印字データを印字するための印字部と、上記印字データおよび上記レイアウト設定データを入力するための入力部と、この入力部によるデータ入力を表示するための表示部と、これら印字部、入力部および表示部を制御するための制御部と、を有する値札プリンターにおける消費税率変更装置であって、上記制御部は、上記消費税率を少なくとも二種類の数値に設定可能であるとともに、この設定したそれぞれの数値を第１の消費税率および第２の消費税率として保存可能な税率設定ファイルを有し、上記フォーマットファイルは、この税率設定ファイルに設定されている上記第１の消費税率および上記第２の消費税率のうち選択されたいずれか一方を保存可能とし、かつ、上記表示部は、上記第１の消費税率および上記第２の消費税率のいずれかを選択するための税率選択画面を表示可能であることを特徴とする値札プリンターにおける消費税率変更装置である。
【００１０】
第二の発明は、商品の価格および消費税率を含む印字データを所定のレイアウトで印字可能とする該レイアウトを設定したレイアウト設定データを保存してあるフォーマットファイルと、このレイアウトにしたがって上記値札に上記印字データを印字するための印字部と、上記印字データおよび上記レイアウト設定データを入力するための入力部と、この入力部によるデータ入力を表示するための表示部と、これら印字部、入力部および表示部を制御するための制御部と、を有する値札プリンターにおける消費税率変更方法であって、上記制御部において、上記消費税率を少なくとも二種類の数値に設定するとともに、この設定したそれぞれの数値を第１の消費税率および第２の消費税率として税率設定ファイルに保存し、上記フォーマットファイルにおいて、この税率設定ファイルに保存されている上記第１の消費税率および上記第２の消費税率のうち選択されたいずれか一方を保存し、かつ、前記表示部において、前記第１の消費税率および前記第２の消費税率のいずれかを選択するための税率選択画面を表示可能とすることを特徴とする値札プリンターにおける消費税率変更方法である。
【００１１】
上記表示部は、上記消費税率を上記第１の消費税率および上記第２の消費税率として、少なくとも二種類の数値に設定するための税率設定画面を表示可能であることができる。
【００１３】
上記印字部は、選択した上記消費税率にもとづいて上記値札に上記印字データを印字可能である。
【発明の効果】
【００１４】
本発明による値札プリンターにおける消費税率変更装置および消費税率変更方法においては、パソコンなどの制御部が、消費税率を第１の消費税率および第２の消費税率として少なくとも二種類の数値に設定可能であるとともに、この設定した数値を保存可能な税率設定ファイルを有し、それぞれの値札に関連するそれぞれのフォーマットファイルは、この税率設定ファイルに設定されている消費税率のうち選択されたいずれか一方（第１の消費税率あるいは第２の消費税率）を保存可能としたので、消費税率の変更があった場合にも、それぞれのフォーマットファイルにおいて各消費税率を一括的に変更可能であり、それぞれのフォーマットファイルにおいて消費税率を一々入力変更する必要がない。
【００１５】
とくに第一の発明によれば、中央の制御部に税率設定ファイルを設けて、それぞれのフォーマットファイルからこの税率設定ファイル内の設定税率（第１の消費税率あるいは第２の消費税率）を参照可能としているので、消費税率の変更があった場合でも、従来のようにそれぞれのフォーマットファイル内の消費税率の数値を変更することなく、切替え作業を実行可能である。
【００１６】
とくに第二の発明によれば、パソコンなどの制御部において、消費税率を第１の消費税率および第２の消費税率として少なくとも二種類の数値に設定するとともに、この設定した数値を税率設定ファイルに保存し、フォーマットファイルは、この税率設定ファイルに保存されている消費税率のうち選択されたいずれか一方を保存するようにしたので、パソコンに接続して使用するすべての印字用フォーマットファイルについて消費税率を一括変換可能であり、消費税率変更作業を容易化することができる。
【発明を実施するための最良の形態】
【００１７】
本発明は、中央の制御部における少なくとも二種類の消費税率の集中管理を可能として、消費税率の変更時にそれぞれのフォーマットファイルにおいて消費税率を参照可能とし、適確に対応することができる値札プリンターにおける消費税率変更装置および消費税率変更方法を実現した。
【実施例】
【００１８】
つぎに本発明の実施例による値札プリンターにおける消費税率変更装置および消費税率変更方法を図１ないし図４にもとづき説明する。ただし、図５および図６と同様の部分には同一符号を付し、その詳述はこれを省略する。
図１は、当該消費税率変更装置を備えた値札プリンター１０の概略図であって、値札プリンター１０は、制御部としてのパソコン１１と、プリンターとしての出力部１２と、消費税率変更装置１３と、を有する。
【００１９】
パソコン１１（中央の制御部）は、パソコン側制御部１４と、入力部１５と、表示部１６と、記憶部１７と、を有し、必要であれば、図中仮想線のようにネットワーク１８を介して他のプリンター（出力部１２）に接続可能である。
出力部１２は、出力側制御部１９（プリンター側制御部）と、印字用紙供給部２０と、印字部２１と、を有する。
【００２０】
パソコン側制御部１４は、入力部１５、表示部１６および記憶部１７を制御するとともに、出力側制御部１９を介して印字部２１を制御する。
【００２１】
入力部１５は、印字データ、さらにはフォーマットファイル２のレイアウトなどの各種レイアウト設定データを入力するもので、キーボード、マウス、タッチパネルなどを採用するが、必要であれば、他のコンピューター（図示せず）などからのデータ（印字データおよびレイアウト設定データ）を受信することもできる。
【００２２】
表示部１６は、入力部１５によるデータ入力を表示するためものである。
【００２３】
記憶部１７は、任意のメモリー素子を有するもので、前記フォーマットファイル２と、フォーマットファイル２から独立した税率設定ファイル２２と、を有する。
【００２４】
消費税率変更装置１３は、上記パソコン１１（制御部）すなわち、パソコン側制御部１４、入力部１５、表示部１６および記憶部１７からこれを構成する。
【００２５】
印字部２１は、フォーマットファイル２に設定されているレイアウトにしたがって前記値札１に印字データを印字するものであって、たとえばサーマルヘッド２３およびプラテンローラー２４を有する。
【００２６】
税率設定ファイル２２は、消費税率を少なくとも二種類の数値（第１の消費税率および第２の消費税率）に設定可能であるとともに、この設定したそれぞれの数値を保存可能である。
フォーマットファイル２において、この税率設定ファイル２２に設定されている消費税率のうち選択されたいずれか一方を、「税率１」あるいは「税率２」として保存可能である。
【００２７】
表示部１６は、消費税率を少なくとも二種類の数値（第１の消費税率および第２の消費税率）に設定するための税率設定画面２５、および、設定された消費税率のいずれかを選択するための税率選択画面２６を表示可能である。
【００２８】
図２は、税率設定画面２５の説明図であって、税率設定画面２５は、表示部１６におけるメニュー画面（図示せず）からこれに移行可能であって、第１の消費税率（「消費税率１」）を入力するための第１の税率入力窓２７と、第２の消費税率（「消費税率２」）を入力するための第２の税率入力窓２８と、登録ボタン２９と、を有する。
第１の税率入力窓２７に第１の消費税率（「消費税率１」）としてたとえば「５％」を入力し、第２の税率入力窓２８に、第２の消費税率（「消費税率２」）としてたとえば「７％」を入力し、登録ボタン２９を押すことにより、それぞれの設定数値を税率設定ファイル２２に保存する。
【００２９】
図３は、税率選択画面２６の説明図であって、税率選択画面２６は、それぞれのフォーマットファイル２を設定する際に上記メニュー画面から移行可能であり、「無税」か、「外税」か、「内税」かなどを選択する税選択ボタン３０と、「税率１」か「税率２」かを選択する税率選択ボタン３１と、を有する。
この税率選択画面２６において、「税率１」を選択すれば、そのフォーマットファイル２は、第１の消費税率５％に設定登録されたことになり、「税率２」を選択すれば、そのフォーマットファイル２は、第２の消費税率７％に設定登録されたことになる。
【００３０】
図４は、それぞれのフォーマットファイル２と税率設定ファイル２２との相関関係を示す説明図であって、それぞれのフォーマットファイル２において設定した「税率１」か「税率２」かについて、中央の制御部（パソコン側制御部１４）における税率設定ファイル２２の保存データを参照することにより、それぞれのフォーマットファイル２には第１の消費税率あるいは第２の消費税率のいずれかの具体的数値を得ることができる。
【００３１】
こうした構成の値札プリンター１０およびその消費税率変更装置１３によれば、税率設定画面２５（図２）において、消費税率を少なくとも二種類の数値（たとえば、５％および７％）に設定するとともに、この設定した数値を税率設定ファイル２２に保存する。
さらに、税率選択画面２６（図３）に表示される消費税率のいずれか（「税率１」か「税率２」か）を選択して、それぞれのフォーマットファイル２に保存する。
【００３２】
かくすることにより、税率設定画面２５（図２）における消費税率の数値の設定、税率選択画面２６（図３）における税率選択ボタン３１の「税率１」か「税率２」かの選択のみで、すなわち、単純なボタン操作のみで、すべてのフォーマットファイル２における消費税率を切り替えることができるので、従来のように、すべてのフォーマットファイル２にアクセスしてそれぞれの消費税率を具体的数値として書き換える必要がない。
したがって、消費税率の変更があった場合でも、それぞれのフォーマットファイル２において具体的数値を入力変更することなく、税率１あるいは税率２の選択操作のみで税率変更作業を行うことができ、迅速かつ適確に対応が可能である。
とくに、卸業者や小売業者ともに、消費税率の変更日の前後での、消費税５％の値札１と７％の値札１とが混在する場合であっても、迅速かつ間違いがないように変更作業が可能である。
【００３３】
なお、本発明は、上述したようなパソコン１１による制御を行う値札プリンター１０以外にも、制御部、入力部、表示部および記憶部などを一体に組み込んだスタンドアローンタイプのプリンターにもこれを適用可能であり、この構成の場合には、パソコン１１におけるパソコン側制御部１４の機能を出力側制御部１９（プリンター側制御部）に保有させることができる。
【図面の簡単な説明】
【００３４】
【図１】本発明の実施例による消費税率変更装置１３を備えた値札プリンター１０の概略図である。
【図２】同、税率設定画面２５の説明図である。
【図３】同、税率選択画面２６の説明図である。
【図４】同、それぞれのフォーマットファイル２と税率設定ファイル２２との相関関係を示す説明図である。
【図５】従来からの値札１に印字した一例を示す平面図である。
【図６】同、それぞれの値札１についてのフォーマットファイル２の説明図である。
【符号の説明】
【００３５】
１  値札（図５）
２  フォーマットファイル
１０  値札プリンター（図１）
１１  パソコン（中央の制御部）
１２  出力部（プリンター部）
１３  値札プリンター１０における消費税率変更装置（実施例、図１）
１４  パソコン側制御部
１５  入力部
１６  表示部
１７  記憶部
１８  ネットワーク
１９  出力側制御部（プリンター側制御部）
２０  印字用紙供給部
２１  印字部
２２  税率設定ファイル
２３  サーマルヘッド
２４  プラテンローラー
２５  税率設定画面（図２）
２６  税率選択画面（図３）
２７  第１の税率入力窓
２８  第２の税率入力窓
２９  登録ボタン
３０  税選択ボタン
３１  税率選択ボタン
【図１】
0004959466.tif 000002
【図２】
0004959466.tif 000003
【図３】
0004959466.tif 000004
【図４】
0004959466.tif 000005
【図５】
0004959466.tif 000006
【図６】
0004959466.tif 000007